(57)【要約】【課題】  パッケージに通信機能を搭載することなく、バスに接続されているパッケージの正否を判定することができるシステム監視装置を得ることを目的とする。【解決手段】  パッケージのコネクタ４に割り付けられている特有の識別情報を確認するパッケージＩ／Ｏ１１と、予めアドレスバスに接続されるパッケージの識別情報を格納する識別情報格納部２１と、パッケージＩ／Ｏ１１により確認された識別情報と識別情報格納部２１に格納されている識別情報を比較して、アドレスバス５に接続されているパッケージの正否を判定するＣＰＵ２３とを設け、ＣＰＵ２３の判定結果を表示する。【選択図】        図１
2005346162.tif 000002
【特許請求の範囲】
【請求項１】
アドレスバスに対する接続インタフェースに特有の識別情報が割り付けられているパッケージと、上記パッケージの接続インタフェースに割り付けられている特有の識別情報を確認する識別情報確認手段と、予めアドレスバスに接続されるパッケージの識別情報を格納する識別情報格納手段と、上記識別情報確認手段により確認された識別情報と上記識別情報格納手段に格納されている識別情報を比較して、上記アドレスバスに接続されているパッケージの正否を判定する判定手段と、上記判定手段の判定結果を表示する表示手段とを備えたシステム監視装置。
【請求項２】
表示手段は、判定手段の判定結果がパッケージの誤接続を認定している場合、誤接続されているパッケージを明示することを特徴とする請求項１記載のシステム監視装置。
【請求項３】
表示手段は、判定手段の判定結果がパッケージの未接続を認定している場合、未接続のパッケージを明示することを特徴とする請求項１記載のシステム監視装置。
【請求項４】
表示手段は、パッケージからシステムバスに出力された警報情報を収集し、その警報情報にしたがって当該パッケージの警報内容を表示することを特徴とする請求項１記載のシステム監視装置。
【請求項５】
アドレスバスに接続しているパッケージを変更、あるいは、上記アドレスバスに接続するパッケージを追加する際、識別情報格納手段に格納されている識別情報の変更又は追加を受け付ける識別情報受付手段を設けたことを特徴とする請求項１から請求項４のうちのいずれか１項記載のシステム監視装置。
【発明の詳細な説明】
【技術分野】
【０００１】
この発明は、システムバス及びアドレスバスに接続されるパッケージを監視するシステム監視装置に関するものである。
【背景技術】
【０００２】
従来のシステム監視装置は、複数のパッケージが個別の監視制御線を介してスレーブ装置に接続され、スレーブ装置がデータバスを介してマスター装置に接続されている。
したがって、パッケージが監視制御線を介して警報情報をスレーブ装置に出力すると、スレーブ装置がデータバスを介して警報情報をマスター装置に出力する。
マスター装置は、上記のようにして警報情報を取得すると、その警報情報にしたがってパッケージの警報内容を表示する。
【０００３】
なお、従来のシステム監視装置は、スレーブ装置に接続されているパッケージの正否を判定する場合、マスター装置がスレーブ装置経由で、ＩＤの送信要求をパッケージに送信する。
パッケージは、ＩＤの送信要求を受信すると、自己のＩＤをスレーブ装置経由でマスター装置に送信する。
マスター装置は、パッケージのＩＤを受信すると、そのＩＤと予め登録されているＩＤを比較して、そのパッケージの正否を判定する（例えば、特許文献１参照）。
【０００４】
【特許文献１】特開平８−３３１５５０号公報（段落番号［００１６］、図１）
【発明の開示】
【発明が解決しようとする課題】
【０００５】
従来のシステム監視装置は以上のように構成されているので、パッケージがマスター装置からＩＤの送信要求を受信すると、自己のＩＤをマスター装置に返信する通信機能（例えば、ＣＰＵを搭載）を備えていれば、スレーブ装置に接続されているパッケージの正否を判定することができる。しかし、全てのパッケージに上記通信機能を搭載することはコスト的に困難であり、上記通信機能を搭載していないパッケージがスレーブ装置に接続された場合には、作業員等が目視で接続されているパッケージの正否を判定しなければならないなどの課題があった。
【０００６】
この発明は上記のような課題を解決するためになされたもので、パッケージに通信機能を搭載することなく、バスに接続されているパッケージの正否を判定することができるシステム監視装置を得ることを目的とする。
【課題を解決するための手段】
【０００７】
この発明に係るシステム監視装置は、パッケージの接続インタフェースに割り付けられている特有の識別情報を確認する識別情報確認手段と、予めアドレスバスに接続されるパッケージの識別情報を格納する識別情報格納手段と、その識別情報確認手段により確認された識別情報と識別情報格納手段に格納されている識別情報を比較して、アドレスバスに接続されているパッケージの正否を判定する判定手段とを設け、その判定手段の判定結果を表示するようにしたものである。
【発明の効果】
【０００８】
この発明によれば、パッケージの接続インタフェースに割り付けられている特有の識別情報を確認する識別情報確認手段と、予めアドレスバスに接続されるパッケージの識別情報を格納する識別情報格納手段と、その識別情報確認手段により確認された識別情報と識別情報格納手段に格納されている識別情報を比較して、アドレスバスに接続されているパッケージの正否を判定する判定手段とを設け、その判定手段の判定結果を表示するように構成したので、パッケージに通信機能を搭載することなく、アドレスバスに接続されているパッケージの正否を判定することができる効果がある。
【発明を実施するための最良の形態】
【０００９】
実施の形態１．
図１はこの発明の実施の形態１によるシステム監視装置を示す構成図であり、図において、パッケージ１，２，３は例えば発振器、ＯＦＤＭ、励振器、増幅部、送風機などの構成部品を実装しており、各構成部品の状態を監視して異常の発生を検知すると、異常が発生している構成部品を示す警報情報をシステムバス６に出力する機能を備えている。また、パッケージ１，２，３はアドレスバス５に対する接続インタフェースに特有の識別情報が割り付けられている。即ち、パッケージ１，２，３はアドレスバス５に接続するコネクタ４（接続インタフェース）を有し、アドレスバス５の各ビットに対するコネクタピンの接続の有無によって識別情報が割り付けられている。
【００１０】
スレーブ装置７はアドレスバス５及びシステムバス６と接続され、パッケージ１，２，３のコネクタ４に割り付けられている特有の識別情報を確認し、データバス８を介して、その識別情報をマスター装置９に送信するなどの機能を備えている。
マスター装置９は予めアドレスバス５に接続されるパッケージの識別情報を格納し、その識別情報とスレーブ装置７から送信された識別情報を比較して、アドレスバス５に接続されているパッケージの正否を判定して、その判定結果を表示するなどの機能を備えている。
【００１１】
図２はこの発明の実施の形態１によるシステム監視装置のスレーブ装置７及びマスター装置９の内部構成示す構成図であり、図において、スレーブ装置７のパッケージＩ／Ｏ１１はアドレスバス５及びシステムバス６と接続され、パッケージ１，２，３のコネクタ４に割り付けられている特有の識別情報を確認するとともに、パッケージ１，２，３からシステムバス６に出力された警報情報を収集する。なお、パッケージＩ／Ｏ１１は識別情報確認手段を構成している。
スレーブ装置７のバスＩ／Ｆ１２はデータバス８に対するインタフェース機能を有している。スレーブ装置７のＣＰＵ１３はバスＩ／Ｆ１２を介して、パッケージＩ／Ｏ１１により収集された識別情報や警報情報をマスター装置９に送信する。
【００１２】
マスター装置９の識別情報格納部２１は予めアドレスバス５に接続されるパッケージの識別情報を格納するメモリである。なお、識別情報格納部２１は識別情報格納手段を構成している。
マスター装置９のバスＩ／Ｆ２２はデータバス８に対するインタフェース機能を有している。マスター装置９のＣＰＵ２３はスレーブ装置７から送信された識別情報を受信すると、その識別情報と識別情報格納部２１に格納されている識別情報を比較して、アドレスバス５に接続されているパッケージ１，２，３の正否を判定する。なお、ＣＰＵ２３は判定手段を構成している。
【００１３】
マスター装置９のＧＵＩ液晶表示器２５はＥＸＴ−Ｉ／０２４を介してデータバス８と接続され、ＣＰＵ２３の判定結果を表示するほか、スレーブ装置７から送信された警報情報にしたがってパッケージ１，２，３の警報内容を表示する。なお、ＧＵＩ液晶表示器２５は表示手段を構成している。
【００１４】
次に動作について説明する。
パッケージ１，２，３は、アドレスバス５やシステムバス６にコネクタ接続されるが、アドレスバス５に対する接続インタフェースであるコネクタ４には、特有の識別情報が割り付けられている。
例えば、アドレスバス５が４ビットバスである場合、コネクタ４として４ピンコネクタが使用され、アドレスバス５の各ビットに対するコネクタピンＡ，Ｂ，Ｃ，Ｄの接続の有無によって識別情報が割り付けられる。
【００１５】
ここで、下記の対応表は、パッケージ１，２，３のコネクタ４に割り付けられている識別情報と、コネクタピンＡ，Ｂ，Ｃ，Ｄの接続の有無を示している。
ただし、ピン接続状況が“１”であれば、当該ピンがアドレスバス５の該当ビットに接続され、ピン接続状況が“０”であれば、当該ピンがアドレスバス５の該当ビットに接続されていないことを示している。
特有の識別情報            ピン接続状況
パッケージ１            ０００１        Ａ→１，Ｂ→０，Ｃ→０，Ｄ→０
パッケージ２            ００１０        Ａ→０，Ｂ→１，Ｃ→０，Ｄ→０
パッケージ３            ０１００        Ａ→０，Ｂ→０，Ｃ→１，Ｄ→０
【００１６】
一方、マスター装置９の識別情報格納部２１には、予めアドレスバス５に接続されるパッケージの識別情報を格納する。
ここでは、説明の便宜上、パッケージ１，２，３の識別情報（０００１，００１０，０１００）を格納しているものとする。
【００１７】
スレーブ装置７のパッケージＩ／Ｏ１１は、アドレスバス５に接続されているパッケージの正否を確認する必要がある場合（例えば、マスター装置９から確認要求を受けたとき）、アドレスバス５の各ビットの信号レベルを確認することにより、アドレスバス５に接続されているパッケージのコネクタ４に割り付けられている特有の識別情報を確認する。
ここでは、説明の便宜上、パッケージ１，２，３がアドレスバス５に接続されているものとする。
スレーブ装置７のＣＰＵ１３は、パッケージＩ／Ｏ１１がパッケージ１，２，３のコネクタ４に割り付けられている特有の識別情報（０００１，００１０，０１００）を確認すると、バスＩ／Ｆ１２を介して、その識別情報をマスター装置９に送信する。
【００１８】
マスター装置９のＣＰＵ２３は、スレーブ装置７から送信された識別情報を受信すると、その識別情報と識別情報格納部２１に格納されている識別情報を比較して、アドレスバス５に接続されているパッケージ１，２，３の正否を判定する。
この場合、スレーブ装置７から送信された識別情報が“０００１”，“００１０”，“０１００”であり、識別情報格納部２１に格納されている識別情報が“０００１”，“００１０”，“０１００”であるので、双方の識別情報が一致し、アドレスバス５にはパッケージ１，２，３が正常に接続されているものと認定する。
【００１９】
しかし、本来的には、パッケージ３をアドレスバス５に接続するところを誤って、接続予定のないパッケージ（識別情報格納部２１に識別情報を格納していないパッケージ（例えば、識別情報が“１１１０”のパッケージ））をアドレスバス５に接続すると、スレーブ装置７から送信された識別情報“１１１０”と一致する識別情報が識別情報格納部２１に格納されていないので、マスター装置９のＣＰＵ２３は、当該パッケージの誤接続を認定する。
【００２０】
また、本来的には、パッケージ１，２，３が既にアドレスバス５に接続されているはずであるが、接続忘れなどによって、パッケージ３が接続されていない場合、スレーブ装置７からは、パッケージ１，２の識別情報（０００１，００１０）のみが送信され、識別情報格納部２１に格納されているパッケージ３の識別情報“０１００”が送信されないので、マスター装置９のＣＰＵ２３は、パッケージ３がアドレスバス５に接続されていないと認定する。
【００２１】
マスター装置９のＧＵＩ液晶表示器２５は、ＣＰＵ２３の判定結果が、パッケージ１，２，３が正常にアドレスバス５に接続されていることを示していれば、パッケージ１，２，３が正常にアドレスバス５に接続されていることを示すメッセージ等を表示する。あるいは、パッケージの接続図をグラフィック表示する際に、パッケージを正常色（例えば、青色）で表示する。
一方、ＣＰＵ２３の判定結果が、パッケージの誤接続を認定している場合には、誤接続されているパッケージの識別情報“１１１０”を表示するほか、誤接続しているパケットがあることを示すメッセージ等を表示する。あるいは、正常に接続されているパッケージを正常色（例えば、青色）でグラフィック表示し、誤接続されているパッケージを異常色（例えば、赤色）でグラフィック表示する。または、誤接続されているパッケージを点滅表示する。
【００２２】
また、ＣＰＵ２３の判定結果が、未接続のパッケージがあることを示していれば、接続予定のパッケージが接続されていないことを示すメッセージ等を表示する。あるいは、正常に接続されているパッケージを正常色（例えば、青色）でグラフィック表示し、未接続のパッケージを点線でグラフィック表示する。
これにより、ユーザは、アドレスバスに接続されているパッケージの正否を確認することができる。
【００２３】
アドレスバス５に接続されているパッケージ１，２，３は、例えば発振器、ＯＦＤＭ、励振器、増幅部、送風機などの構成部品を実装しており、各構成部品の状態を監視する機能を備えている。
パッケージ１，２，３は、例えば、増幅部に異常が発生すると、その増幅部に異常が発生していることを示す警報情報をシステムバス６に出力する。
【００２４】
スレーブ装置７のパッケージＩ／Ｏ１１は、パッケージ１，２，３が警報情報をシステムバス６に出力すると、システムバス６から警報情報を取得する。
スレーブ装置７のＣＰＵ１３は、パッケージＩ／Ｏ１１がシステムバス６から警報情報を取得すると、バスＩ／Ｆ１２を介して、その警報情報をマスター装置９に送信する。
【００２５】
マスター装置９のＧＵＩ液晶表示器２５は、スレーブ装置７から警報情報を受信すると、ＣＰＵ２３の指示の下で、その警報情報にしたがってパッケージの警報内容を表示する。
例えば、警報情報がパッケージ１の増幅部に異常が発生していることを示していれば、他の構成要素を青色でグラフィック表示し、増幅部を赤色でグラフィック表示する（図３を参照）。
【００２６】
以上で明らかなように、この実施の形態１によれば、パッケージのコネクタ４に割り付けられている特有の識別情報を確認するパッケージＩ／Ｏ１１と、予めアドレスバスに接続されるパッケージの識別情報を格納する識別情報格納部２１と、パッケージＩ／Ｏ１１により確認された識別情報と識別情報格納部２１に格納されている識別情報を比較して、アドレスバス５に接続されているパッケージの正否を判定するＣＰＵ２３とを設け、ＣＰＵ２３の判定結果を表示するように構成したので、パッケージに通信機能を搭載することなく、アドレスバス５に接続されているパッケージの正否を判定することができる効果を奏する。
【００２７】
また、この実施の形態１によれば、ＣＰＵ２３の判定結果がパッケージの誤接続を認定している場合、誤接続されているパッケージを明示するように構成したので、誤接続されているパッケージを容易に把握することができる効果を奏する。
また、この実施の形態１によれば、ＣＰＵ２３の判定結果がパッケージの未接続を認定している場合、未接続のパッケージを明示するように構成したので、未接続のパッケージを容易に把握することができる効果を奏する。
さらに、この実施の形態１によれば、パッケージからシステムバス６に出力された警報情報を収集し、その警報情報にしたがって当該パッケージの警報内容を表示するように構成したので、パッケージ内の異常を速やかに確認することができる効果を奏する。
【００２８】
実施の形態２．
図４はこの発明の実施の形態２によるシステム監視装置のスレーブ装置７及びマスター装置９の内部構成示す構成図であり、図において、図２と同一符号は同一または相当部分を示すので説明を省略する。
識別情報受付部２６は例えばキーボードやマウスなどのマンマシンインタフェースを搭載しており、アドレスバス５に接続しているパッケージを変更、あるいは、アドレスバス５に接続するパッケージを追加する際、識別情報格納部２１に格納されている識別情報の変更又は追加を受け付ける。なお、識別情報受付部２６は識別情報受付手段を構成している。
【００２９】
上記実施の形態１では、予めアドレスバス５に接続されるパッケージの識別情報がマスター装置９の識別情報格納部２１に格納されるものについて示したが、アドレスバス５に接続しているパッケージを変更、あるいは、アドレスバス５に接続するパッケージを追加する必要がある場合、ユーザが識別情報受付部２６を操作して、識別情報格納部２１に格納されている識別情報を変更又は追加するようにしてもよい。
【００３０】
例えば、パッケージ２の代わりに、他のパッケージをアドレスバス５に接続する場合、識別情報格納部２１に格納されているパッケージ２の識別情報“００１０”を削除して、他のパッケージの識別情報（例えば、“１１１１”）を識別情報格納部２１に格納する。
また、アドレスバス５に接続するパッケージを追加する場合、新たに接続するパッケージの識別情報（例えば、“１００１”）を識別情報格納部２１に格納する。
【００３１】
以上で明らかなように、この実施の形態２によれば、アドレスバス５に接続しているパッケージを変更、あるいは、アドレスバス５に接続するパッケージを追加する際、識別情報格納部２１に格納されている識別情報の変更又は追加を受け付ける識別情報受付部２６を設けたので、識別情報格納部２１に格納されている識別情報を更新するだけで、システム構成の変更に対処することができる効果を奏する。
【００３２】
実施の形態３．
上記実施の形態１，２では、パッケージ１，２，３がアドレスバス５及びシステムバス６を介してスレーブ装置７と接続されるものについて示したが、図５及び図６に示すように、パッケージ１，２，３がアドレスバス５及びシステムバス６を介してマスター装置９と接続されるようにしてもよい。
この場合、スレーブ装置７のパッケージＩ／Ｏ１１に相当するパッケージＩ／Ｏ２７がマスター装置９に実装される。
この場合も、上記実施の形態１と同様に、パッケージに通信機能を搭載することなく、アドレスバス５に接続されているパッケージの正否を判定することができる効果を奏する。
【図面の簡単な説明】
【００３３】
【図１】この発明の実施の形態１によるシステム監視装置を示す構成図である。
【図２】この発明の実施の形態１によるシステム監視装置のスレーブ装置７及びマスター装置９の内部構成示す構成図である。
【図３】ＧＵＩ液晶表示器２５の表示例を示す説明図である。
【図４】この発明の実施の形態２によるシステム監視装置のスレーブ装置７及びマスター装置９の内部構成示す構成図である。
【図５】この発明の実施の形態３によるシステム監視装置を示す構成図である。
【図６】この発明の実施の形態３によるシステム監視装置のスレーブ装置７及びマスター装置９の内部構成示す構成図である。
【符号の説明】
【００３４】
１  パッケージ、２  パッケージ、３  パッケージ、４  コネクタ（接続インタフェース）、５  アドレスバス、６  システムバス、７  スレーブ装置、８  データバス、９  マスター装置、１１  パッケージＩ／Ｏ（識別情報確認手段）、１２  バスＩ／Ｆ、１３  ＣＰＵ、２１  識別情報格納部（識別情報格納手段）、２２  バスＩ／Ｆ、２３  ＣＰＵ（判定手段）、２４  ＥＸＴ−Ｉ／０、２５  ＧＵＩ液晶表示器（表示手段）、２６  識別情報受付部（識別情報受付手段）、２７  パッケージＩ／Ｏ（識別情報確認手段）。
【図１】
2005346162.tif 000003
【図２】
2005346162.tif 000004
【図３】
2005346162.tif 000005
【図４】
2005346162.tif 000006
【図５】
2005346162.tif 000007
【図６】
2005346162.tif 000008